(57)【要約】【課題】把持し易く、取り扱いの容易な洗浄ノズルを提供する。【解決手段】洗浄ノズルは、液体を噴射する噴射部１と、該噴射部１を覆っており、液体を吸引する吸引口１１ａを有する筐体３と、前記筐体３から外部に突出しており、前記噴射部１に供給する液体が通流する柔軟なホースを接続するホース接続部５０と、前記吸引口１１ａに設けてあり、吸引された液体が通流し、前記ホースより大径且つ硬質なパイプを接続するパイプ接続部３０とを備える。小径且つ柔軟なホースがホース接続部５０に接続される。大径且つ硬質なパイプがパイプ接続部３０に接続される。【選択図】図４
2014193445.tif 000002
【特許請求の範囲】
【請求項１】
液体を噴射する噴射部と、該噴射部を覆っており、液体を吸引する吸引口を有する筐体とを備える洗浄ノズルにおいて、
前記筐体から外部に突出しており、前記噴射部に供給する液体が通流する柔軟なホースを接続するホース接続部と、
前記吸引口に設けてあり、吸引された液体が通流し、前記ホースより大径且つ硬質なパイプを接続するパイプ接続部と、
を備えることを特徴とする洗浄ノズル。
【請求項２】
前記パイプ接続部は前記筐体に枢支してあることを特徴とする請求項１に記載の洗浄ノズル。
【請求項３】
前記吸引口の縁部分に固定された枢軸を備え、
前記パイプ接続部は、
中空の半円柱状をなし、その周面が前記吸引口から前記筐体の外側に突出して前記吸引口を塞ぐように前記筐体内に配してあり、前記枢軸がその端面を貫通し、前記枢軸の回りに回転可能な回転部と、
該回転部の前記周面から突出しており、前記パイプを接続する接続部と
を有することを特徴とする請求項２に記載の洗浄ノズル。
【請求項４】
前記パイプ接続部から離隔させて前記筐体に錘を配置してあること
を特徴とする請求項１から３のいずれか一つに記載の洗浄ノズル。
【請求項５】
前記筐体の下側に車輪が設けてあり、
前記車輪の回転による前記筐体の移動方向に沿って前記パイプ接続部及び錘が並設してあること
を特徴とする請求項４に記載の洗浄ノズル。
【請求項６】
前記車輪の車軸を支持する車軸支持部と、
前記筐体及び車軸支持部間に配された弾性部材と
を備えることを特徴とする請求項５に記載の洗浄ノズル。
【請求項７】
前記車軸支持部から上方に突出し、前記筐体を貫通した軸を備え、
前記弾性部材は前記軸に周設してあること
を特徴とする請求項６に記載の洗浄ノズル。
【請求項８】
液体を噴射する噴射部と、該噴射部を覆っており、液体を吸引する吸引口を有する筐体と、該筐体の下側に配された車輪とを備える洗浄ノズルにおいて、
前記車輪の車軸を支持する車軸支持部と、
前記筐体及び車軸支持部間に配された弾性部材と
を備えること
を特徴とする洗浄ノズル。
【請求項９】
前記車軸支持部から上方に突出し、前記筐体を貫通した軸を備え、
前記弾性部材は前記軸に周設してあること
を特徴とする請求項８に記載の洗浄ノズル。
【請求項１０】
前記車軸支持部は上面部及び該上面部から下方に突出した対向する二つの側面部を有し、
前記車軸は両側面部の間にて支持されており、
前記軸は前記上面部から上方に突出し、前記筐体に設けた孔に挿入してあること
を特徴とする請求項９に記載の洗浄ノズル。
【発明の詳細な説明】
【技術分野】
【０００１】
本発明は、液体を噴射して洗浄を行い、噴射した液体を吸引する洗浄ノズルに関する。
【背景技術】
【０００２】
液体（洗浄液）を高圧ポンプによって高圧で噴射し、床、壁面等を洗浄する洗浄ノズルは、床、壁面等を傷つけることなく、短時間で洗浄することができるため、一般に広く使用されている。近年では、ノズル（噴射部）から噴射された洗浄液を吸引して貯留タンクに回収し、フィルタを通して異物を除去した後、再度噴射部から噴射する循環型の洗浄ノズルが提案されている（例えば特許文献１）。特許文献１に記載の洗浄ノズルは、台車に載置された高圧ポンプ、吸引装置及び貯留タンクに接続されている。洗浄ノズルは、噴射部の周囲を覆う筐体を備えており、該筐体には吸引口を設けてある。該吸引口は吸引装置に接続してあり、該吸引装置によって噴射部から噴射された洗浄液を吸引し、貯留タンクに回収している。
【０００３】
吸引口と吸引装置とは太く柔軟なホースによって接続され、噴射部と高圧ポンプとは細く硬質なパイプによって接続されることが多く、ユーザはパイプを把持して、洗浄ノズルを移動させる。
【先行技術文献】
【特許文献】
【０００４】
【特許文献１】特許第３９８４７７７号公報
【発明の概要】
【発明が解決しようとする課題】
【０００５】
しかしパイプは細いため把持し難く、また太いホースは洗浄ノズルの移動によって、高圧ポンプ、吸引装置又は台車に絡まり易く、取り扱いに難がある。
【０００６】
本発明は斯かる事情に鑑みてなされたものであり、把持し易く、取り扱いの容易な洗浄ノズルを提供することを目的とする。
【課題を解決するための手段】
【０００７】
本発明に係る洗浄ノズルは、液体を噴射する噴射部と、該噴射部を覆っており、液体を吸引する吸引口を有する筐体とを備える洗浄ノズルにおいて、前記筐体から外部に突出しており、前記噴射部に供給する液体が通流する柔軟なホースを接続するホース接続部と、前記吸引口に設けてあり、吸引された液体が通流し、前記ホースより大径且つ硬質なパイプを接続するパイプ接続部とを備えることを特徴とする。
【０００８】
本発明に係る洗浄ノズルは、前記パイプ接続部は前記筐体に枢支してあることを特徴とする。
【０００９】
本発明に係る洗浄ノズルは、前記吸引口の縁部分に固定された枢軸を備え、前記パイプ接続部は、中空の半円柱状をなし、その周面が前記吸引口から前記筐体の外側に突出して前記吸引口を塞ぐように前記筐体内に配してあり、前記枢軸がその端面を貫通し、前記枢軸の回りに回転可能な回転部と、該回転部の前記周面から突出しており、前記パイプを接続する接続部とを有すること特徴とする。
【００１０】
本発明に係る洗浄ノズルは、前記パイプ接続部から離隔させて前記筐体に錘を配置してあることを特徴とする。
【００１１】
本発明に係る洗浄ノズルは、前記筐体の下側に車輪が設けてあり、前記車輪の回転による前記筐体の移動方向に沿って前記パイプ接続部及び錘が並設してあることを特徴とする。
【００１２】
本発明に係る洗浄ノズルは、前記車輪の車軸を支持する車軸支持部と、前記筐体及び車軸支持部間に配された弾性部材とを備えることを特徴とする。
【００１３】
本発明に係る洗浄ノズルは、前記車軸支持部から上方に突出し、前記筐体を貫通した軸を備え、前記弾性部材は前記軸に周設してあることを特徴とする。
【００１４】
本発明に係る洗浄ノズルは、液体を噴射する噴射部と、該噴射部を覆っており、液体を吸引する吸引口を有する筐体と、該筐体の下側に配された車輪とを備える洗浄ノズルにおいて、前記車輪の車軸を支持する車軸支持部と、前記筐体及び車軸支持部間に配された弾性部材とを備えることを特徴とする。
【００１５】
本発明に係る洗浄ノズルは、前記車軸支持部から上方に突出し、前記筐体を貫通した軸を備え、前記弾性部材は前記軸に周設してあることを特徴とする。
【００１６】
本発明に係る洗浄ノズルは、前記車軸支持部は上面部及び該上面部から下方に突出した対向する二つの側面部を有し、前記車軸は両側面部の間にて支持されており、前記軸は前記上面部から上方に突出し、前記筐体に設けた孔に挿入してあることを特徴とする。
【００１７】
本発明においては、柔軟なホースをホース接続に接続して、噴射部に液体を供給し、ホースよりも大径且つ硬質なパイプをパイプ接続部に接続して、噴射部から噴射された液体を吸引する。ユーザは大径且つ硬質なパイプを容易に把持し、またホースは小径且つ柔軟であり、取り扱いが容易である。
【００１８】
本発明においては、パイプ接続部は筐体に枢支してあり、ユーザによるパイプの操作に応じて回転する。
【００１９】
本発明においては、吸引口の縁部分に固定された軸の回りを回転部が回転し、パイプ接続部の回転を実現する。また回転部は吸引口を塞ぐように配してあり、吸引力の低下が防止される。
【００２０】
本発明においては、ユーザがパイプ接続部側にパイプを引っ張った場合でも、引っ張りによって生じるモーメントと逆側のモーメントが錘によって生じ、筐体は傾かない。
【００２１】
本発明においては、ユーザがパイプ接続部側にパイプを引っ張った場合でも、引っ張りによって生じるモーメントと逆側のモーメントが錘によって生じ、筐体は傾かず、車輪は浮かない。
【００２２】
本発明においては、洗浄ノズルの筐体にはブラシが取り付けてあることが多く、筐体を押さえつけることによって、ブラシを床、壁面等に接触させて洗浄を行う。本発明においては、凹部を洗浄する場合、ユーザが強い力で押さえつけることによって、弾性部材が短縮し、筐体及び車軸支持部間の距離が縮まり、筐体は凹部に接近し、ブラシが凹部に接触する。また凸部を洗浄する場合、ユーザが押さえつける力を緩めることによって、弾性部材が伸長し、筐体及び車軸支持部間の距離が長くなり、筐体と洗浄箇所との間に隙間が生じ、液体の吸引によって筐体が凸部に吸い付くことを防ぐ。
【００２３】
本発明においては、車軸支持部から上方に突出し、筐体を貫通した軸に弾性部材を周設し、弾性部材の伸縮を軸に案内させて、筐体及び車軸支持部間の距離の短縮又は伸長を円滑に行う。
【００２４】
本発明においては、車軸支持部の両側面部の間に車軸を支持し、車軸支持部の上面部から突出した軸を筐体に開設した孔に挿入する。軸の周囲に弾性部材を設けてあるので、ユーザが押さえつける力の大小に応じて弾性部材が伸縮し、凹部又は凸部と筐体との距離が適切に保たれる。
【発明の効果】
【００２５】
本発明に係る洗浄ノズルにあっては、柔軟なホースをホース接続に接続して、噴射部に液体を供給し、ホースよりも大径且つ硬質なパイプをパイプ接続部に接続して、噴射部から噴射された液体を吸引する。ユーザは大径且つ硬質なパイプを容易に把持することができるので、操作性が向上する。またホースは小径であり、取り扱いが容易である。
【図面の簡単な説明】
【００２６】
【図１】洗浄ノズルを略示する斜視図である。
【図２】洗浄ノズルを略示する正面図である。
【図３】洗浄ノズルを略示する底面図である。
【図４】図２に示すＩＶ―ＩＶ線を切断線とした断面図である。
【図５】洗浄ノズルを模式的に示す部分側面断面図である。
【発明を実施するための形態】
【００２７】
以下本発明を実施の形態に係る洗浄ノズルを示す図面に基づいて詳述する。図１は洗浄ノズルを略示する斜視図、図２は洗浄ノズルを略示する正面図、図３は洗浄ノズルを略示する底面図、図４は図２に示すＩＶ―ＩＶ線を切断線とした断面図、図５は洗浄ノズルを模式的に示す部分側面断面図である。
【００２８】
洗浄ノズルは、液体を噴射する噴射部１と、該噴射部１を囲繞するカバー２とを備える。カバー２は、中空の角錐台状をなす下カバー部２ａと、該下カバー部２ａの上部に連通し、角筒形をなす上カバー部２ｂとを有する。下カバー部２ａの下面は開口している。上カバー部２ｂの上面は開口し、上カバー部２ｂ内に噴射部１が配してある。
【００２９】
カバー２は筐体３によって覆われており、筐体３に固定されている。筐体３は、上面の一部に傾斜面１１を形成した直方体状をなし、カバー２を収容する収容部１０と、該収容部１０における前記傾斜面１１に直角な二側面１３、１３から外向きに突出した側板部２０、２０とを備える。収容部１０は、傾斜面１１の下縁部分に連なる面（以下、背面１５と称す）、該背面１５に対向する面（以下正面１４と称す）とを有する。なお収容部１０の上面の他部は平坦面１２をなす。なお収容部１０の下縁部はカバー２の下縁部よりも上側に位置する。
【００３０】
側板部２０は、前記平坦面１２に略平行であり、収容部１０の側面１３に沿って延びている。図５に示すように、側板部２０の上面から上下に貫通した二つの円筒ボス２１、２１（孔）が突出している。円筒ボス２１は、傾斜面１１側及び傾斜面１１の反対側にそれぞれ離隔配置してある。
【００３１】
円筒ボス２１、２１、２１、２１それぞれの下方に車輪５、５、５、５が配してある。車輪５の中心部には軸方向に貫通した貫通孔５ａが設けてあり、該貫通孔５ａに車軸５ｂが挿通している。車軸５ｂの姿勢は収容部１０の側面１３に対し直角である。車軸５ｂを支持する車軸支持部６が、側板部２０の下方において、車輪５の上部分を覆うように設けてある。車軸支持部６は側板部２０に沿って延びている。車軸支持部６は、側板部２０に対向し、側板部２０及び車輪５の間に位置する上面部６ａと、該上面部６ａの二つの長縁部分それぞれから下方に突出した側面部６ｂ、６ｂとを備える。二つの側面部６ｂ、６ｂの間に車輪５は位置し、車軸５ｂは二つの側面部６ｂ、６ｂを貫通している。車輪５の側面及び側面部６ｂの間において、座金５ｃが車軸５ｂに設けてある。車輪５は車軸５ｂの回りを回転する。
【００３２】
車輪５の上方において、上面部６ａから軸７が上向きに突出している。軸７は小径の軸部７ａと、該軸部７ａの突出端部に設けてあり、軸部７ａよりも大径の頭部７ｂとを備える。軸部７ａは円筒ボス２１内に挿入されており、頭部７ｂは円筒ボス２１の先端よりも上側に位置する。頭部７ｂの直径は円筒ボス２１よりも大きく、頭部７ｂと円筒ボス２１との間に座金７ｃが設けてある。円筒ボス２１の下側において、軸部７ａの周囲にコイル状のばね８（弾性部材）が設けてある。ばね８は側板部２０及び上面部６ａの間に位置する。なおばね８に代えてゴム、ウレタンスポンジ等の他の弾性部材を使用してもよい。
【００３３】
筐体３の側板部２０は、ばね８を介して車軸支持部６及び車輪５に支持されている。下方向への力が筐体３に作用した場合、ばね８は軸７をガイドとして短縮し、筐体３は下がる。このとき軸７は相対的に円筒ボス２１内を上方に移動する。下方向への力を解除した場合、ばね８の弾性復元力によって、ばね８は軸７をガイドとして伸長し、筐体３は上がる。このとき軸７は相対的に円筒ボス２１内を下方に移動する。
【００３４】
前記傾斜面１１には、液体を吸引する矩形の吸引口１１ａが設けてある。傾斜面１１の傾斜方向に沿う吸引口１１ａの二つの縁部分から後述する枢軸３４を支持する支持板１１ｂ、１１ｂが筐体３の内側に向けてそれぞれ突出している。支持板１１ｂ、１１ｂは互いに対向している。支持板１１ｂの間に枢軸３４が支持されており、該枢軸３４の軸長方向は前記車軸５ｂの軸長方向と略同じである。枢軸３４には、パイプを接続するパイプ接続部３０が回転可能に支持されている。
【００３５】
パイプ接続部３０は、中空の半円柱状（円柱を軸方向に沿って半分に切断したような形状であり、軸方向に直交する方向の断面形状が半円形状をなす。）をなし、前記枢軸３４の回りに回転可能な回転部３１を備える。回転部３１は周面と、半円形状の両端面を有し、回転部３１における周面に対向する部分は開口している。回転部３１が吸引口１１ａを塞ぐように、回転部３１の周面は吸引口１１ａから筐体３の外側に突出している。回転部３１の両端面それぞれに貫通孔３１ａ、３１ａが設けてある。両貫通孔３１ａ、３１ａには前記枢軸３４が挿通している。
【００３６】
回転部３１の周面からはパイプを接続する接続部３２が突出している。該接続部３２は円筒状をなす。接続部３２が吸引口１１ａから外側に突出するように、パイプ接続部３０は吸引口１１ａ内に配してある。枢軸３４には、軸回りに回転可能な筒体３３が外嵌しており、該筒体３３を介して回転部３１は枢軸３４に支持されている。筒体３３は、回転部３１が円滑に回転するように、回転部３１を案内する。パイプ接続部３０は、枢軸３４を支軸として回転することができる。なお回転部３１の回転によって、接続部３２が如何なる方向を向いたとしても、回転部３１の周面が吸引口１１ａを塞ぐように、パイプ接続部３０は設計されている。
【００３７】
収容部１０において、前記両側面１３、１３、正面１４及び背面１５それぞれにブラシ４１、４１、４１、４１が設けてある。ブラシ４１は支持枠４０によって支持されており、ブラシ４１の先端が下側に位置するように、支持枠４０は正面１４、背面１５及び両側面１３、１３にねじ４２によって固定されている。ブラシ４１は筐体３の下縁部を四方から囲繞する。
【００３８】
筐体３に上からの力が作用していない場合、ばね８によって側板部２０は押し上げられており、ブラシ４１の先端部はカバー２の下縁部と車輪５の下端部との間に位置する。筐体３に上からの力が作用することによって、ばね８は短縮し、ブラシ４１の先端部は車輪５の下端部に向けて移動し、床、壁に接触する。なおカバー２は筐体３に固定されているので、筐体３と共に移動し、ばね８の伸縮によって両者の相対位置関係は変化しない。
【００３９】
収容部１０の平坦面１２（上面）に噴射部１を挿入する挿入孔１２ａが設けてある。挿入孔１２ａの位置は前記上カバー部２ｂの上面の開口位置に対応している。平坦面１２上に一又は複数の錘６０が載置してあり、錘６０は貫通孔６１を有する。貫通孔６１の位置が挿入孔１２ａの位置に対応するように、錘６０は平坦面１２上に設けてある。なお錘６０は平坦面１２にねじ止めしてある。
【００４０】
パイプ接続部３０側に向けて湾曲した管状をなすホース接続部５０が貫通孔６１に挿入してある。ホース接続部５０の下端部分には噴射部１が連結しており、噴射部１は挿入孔１２ａに挿入され、上カバー部２ｂ内に配置されている。ホース接続部５０は平坦面１２に固定されている。ホース接続部５０の上端部分の直径は、パイプ接続部３０の接続部３２の直径よりも充分に小さい。例えば、ホース接続部５０の上端部分の直径は約５ｍｍであるのに対し、接続部３２の直径は約３５ｍｍである。
【００４１】
ホース接続部５０には小径の柔軟なホース（図示省略）、例えば合成樹脂部材からなるホースの一端部が接続され、ホースの他端部は液体を圧送する高圧ポンプ（図示省略）に接続される。パイプ接続部３０には大径の硬質なパイプ（図示省略）、例えばステンレス鋼からなるパイプの一端部が接続され、パイプの他端部は液体を吸引する吸引装置（図示省略）に接続される。吸引装置は貯留タンクに接続してあり、吸引装置及び貯留タンク間の接続経路には異物を除去するフィルタ（図示省略）が介装してある。また貯留タンク内の液体は高圧ポンプによってホースに送出されるようにしてある。
【００４２】
ユーザが操作部（図示省略）を操作し、高圧ポンプが駆動した場合、貯留タンク内の液体は高圧ポンプによってホースに送出され、ホース接続部５０を通って噴射部１から噴射される。ユーザはパイプを把持し、筐体３を押さえつけながら、床、壁等を洗浄する。噴射部１から噴射された液体はカバー２によって床、壁等の所定の領域に集中し、該領域には高圧が付与される。床、壁等に付着した異物は噴射された液体の圧力によって剥離される。また液体の圧力によって剥離しきれなかった異物もブラシ４１によって擦り落とすことができる。
【００４３】
ユーザが操作部を操作し、吸引装置が駆動した場合、パイプ及びパイプ接続部３０内が負圧となり、また筐体３及びカバー２の間も負圧となる。その結果、下カバー部２ａと筐体３の側面１３、１３、正面１４及び背面１５との間から床、壁等の表面にある異物又は流体が吸引される。前述したように、ブラシ４１の先端は車輪５の下端と略同じ位置にあるため、ブラシ４１によって筐体３の下縁部と床、壁等との間の隙間は塞がれている。そのため外部から異物が筐体３内に侵入したり、噴射された液体が外部に飛び散ることが防止される。また外部から空気が筐体３に侵入することを防止し、空気の侵入によって異物又は液体を吸引する力が低下することを防止する。
【００４４】
噴射部１の周囲はカバー２によって覆われており、カバー２の周囲に筐体３が設けてある。また筐体３に吸引口１１ａが設けてある。そのため液体が噴射される区画と液体を吸引する区画はカバー２によって分けられており、噴射部１から噴射された液体が、床、壁等に至る前に、吸引口１１ａに設けたパイプ接続部３０から直接的に吸引されることを防止することができる。また筐体３の下縁部はカバー２の下縁部よりも上側に位置するので、噴射部１から噴射された液体がパイプ接続部３０から直接的に吸引されることをより一層効果的に防止することができる。
【００４５】
噴射部１から液体が噴射されている場合、噴射された液体及び床、壁等から剥離した異物が筐体３内に吸引され、パイプ接続部３０及びパイプを通る。吸引された異物はフィルタにて除去され、液体は貯留タンクに貯留される。そして液体は高圧ポンプによって再度噴射部１から噴射され、循環する。
【００４６】
実施形態に係る洗浄ノズルにあっては、小径且つ柔軟なホースをホース接続部５０に接続して、噴射部１に液体を供給し、ホースよりも大径且つ硬質なパイプをパイプ接続部３０に接続して、噴射部１から噴射された液体を吸引する。ユーザは大径且つ硬質なパイプを容易に把持することができるので、操作性を向上させることができる。またホースは小径であり、絡み難く取り扱いが容易である。
【００４７】
噴射部１から噴射された液体による圧力を高くするために、ホースは小径であることが望ましく、一方パイプは、噴射のための流路ほど小径にする必要性は乏しい。そのため上述したように、吸引のための流路を大径の硬質なパイプとし、ユーザが把持する構成とすることによって、高圧の維持及びユーザの利便性向上を両立させることができる。
【００４８】
またパイプ接続部３０は筐体３内に枢支してあり、ユーザによるパイプの操作に応じて回転する。より詳細には、吸引口１１ａの支持板１１ｂに支持された枢軸３４の回りを回転部３１が回転し、パイプ接続部３０は回転する。ユーザはパイプ接続部３０を回転によって正面１４方向且つ上方向に移動させるか又は背面１５方向且つ下方向に移動させることができる。洗浄ノズルを床、壁等に押し付ける場合、ユーザはパイプを正面１４方向且つ上方向に移動させることによって、パイプの姿勢を床、壁等に対し略垂直な姿勢にすることができ、容易に強い力で洗浄ノズルを押さえつけることができる。洗浄ノズルを移動させる場合、ユーザはパイプを背面１５方向且つ下方向に移動させることで、パイプの姿勢を床又は壁に対し平行な姿勢に近付けることができ、容易に洗浄ノズルを正背方向に移動させることができる。
【００４９】
またユーザが背面１５側にパイプを引っ張った場合でも、引っ張りによるモーメントと逆向きのモーメントが錘６０によって筐体３に作用するので、筐体３が背面１５側に傾いて、車輪５が浮くことを防止し、洗浄ノズルの安定性を向上させることができる。また車輪５が浮いた場合に洗浄ノズルを元の姿勢に戻す必要がなくなり、作業が中断されず、作業効率を向上させることができる。
【００５０】
また車軸支持部６の両側面部６ｂの間に車軸５ｂを支持し、車軸支持部６の上面部６ａから上向きに突出した軸７を筐体３に設けた円筒ボス２１に挿入する。軸７の周囲にばね８を設けてあるので、ユーザが押さえつける力の大小に応じてばね８が伸縮し、床又は壁等の凹部又は凸部と筐体３との距離を適切に保つことができる。
【００５１】
洗浄ノズルの筐体３にはブラシ４１が取り付けてあり、筐体３を押さえつけることによって、ブラシ４１を床、壁面等に接触させて洗浄を行うことができる。凹部を洗浄する場合、ユーザが強い力で洗浄ノズルを押さえつけることによって、ばね８が短縮するので、車軸支持部６及び側板部２０間の距離が短縮して、筐体３が凹部に接近し、ブラシ４１を凹部に接触させることができる。また凸部を洗浄する場合、ユーザが洗浄ノズルを押さえつける力を緩めることによって、ばね８が伸長し、車軸支持部６及び側板部２０間の距離が長くなって、筐体３と凸部との間に隙間が生じるので、液体の吸引によって筐体３が凸部に吸い付き、洗浄ノズルの移動が阻害されることを防止することができる。
【００５２】
上述した洗浄ノズルは、循環式の洗浄装置にのみ適用されるものではなく、他の装置にも適用することができる。例えば、水道管とホースを接続し、パイプに吸引された液体を下水管に排出する非循環式の洗浄装置に適用してもよい。
上述した洗浄ノズルは車輪５を有するが、車輪５を設けなくてもよい。この場合でもブラシ４１によって、筐体３の下縁部と床、壁等との間の隙間は塞がれている。そのため外部から異物が筐体３内に侵入したり、噴射された液体が外部に飛び散ることが防止される。また外部から空気が筐体３に侵入することが防止され、空気の侵入によって異物又は液体を吸引する力が低下することが防止される。
【００５３】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００５４】
１  噴射部
３  筐体
５  車輪
５ｂ  車軸
６  車軸支持部
６ｂ  側面部
７  軸
８  ばね（弾性部材）
１０  収容部
２０  側板部
２１  円筒ボス（孔）
３０  パイプ接続部
３１  回転部
３２  接続部
３４  枢軸
５０  ホース接続部
６０  錘
【図１】
2014193445.tif 000003
【図２】
2014193445.tif 000004
【図３】
2014193445.tif 000005
【図４】
2014193445.tif 000006
【図５】
2014193445.tif 000007
【手続補正書】
【提出日】平成26年5月12日(2014.5.12)
【手続補正１】
【補正対象書類名】明細書
【補正対象項目名】０００７
【補正方法】変更
【補正の内容】
【０００７】
本発明に係る洗浄ノズルは、液体を噴射する噴射部と、該噴射部を覆っており、液体を吸引する吸引口を有する筐体とを備える洗浄ノズルにおいて、前記筐体から外部に突出しており、前記噴射部に供給する液体が通流する柔軟なホースを接続するホース接続部と、前記吸引口に設けてあり、吸引された液体が通流し、前記ホースより大径且つ硬質なパイプを接続するパイプ接続部とを備え、前記パイプ接続部は前記筐体に枢支してあることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】００１４
【補正方法】変更
【補正の内容】
【００１４】
本発明に係る洗浄ノズルは、液体を噴射する噴射部と、該噴射部を覆っており、液体を吸引する吸引口を有する筐体と、該筐体の下側に配された車輪とを備える洗浄ノズルにおいて、前記車輪の車軸を支持する車軸支持部と、前記筐体及び車軸支持部間に配された弾性部材と、前記車軸支持部から上方に突出し、前記筐体を貫通した軸とを備え、前記弾性部材は前記軸に周設してあることを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１７
【補正方法】変更
【補正の内容】
【００１７】
本発明においては、柔軟なホースをホース接続に接続して、噴射部に液体を供給し、ホースよりも大径且つ硬質なパイプをパイプ接続部に接続して、噴射部から噴射された液体を吸引する。ユーザは大径且つ硬質なパイプを容易に把持し、またホースは小径且つ柔軟であり、取り扱いが容易である。
またパイプ接続部は筐体に枢支してあり、ユーザによるパイプの操作に応じて回転する。
【手続補正６】
【補正対象書類名】明細書
【補正対象項目名】００１８
【補正方法】削除
【補正の内容】
【手続補正７】
【補正対象書類名】明細書
【補正対象項目名】００２２
【補正方法】変更
【補正の内容】
【００２２】
本発明においては、洗浄ノズルの筐体にはブラシが取り付けてあることが多く、筐体を押さえつけることによって、ブラシを床、壁面等に接触させて洗浄を行う。本発明においては、凹部を洗浄する場合、ユーザが強い力で押さえつけることによって、弾性部材が短縮し、筐体及び車軸支持部間の距離が縮まり、筐体は凹部に接近し、ブラシが凹部に接触する。また凸部を洗浄する場合、ユーザが押さえつける力を緩めることによって、弾性部材が伸長し、筐体及び車軸支持部間の距離が長くなり、筐体と洗浄箇所との間に隙間が生じ、液体の吸引によって筐体が凸部に吸い付くことを防ぐ。
また車軸支持部から上方に突出し、筐体を貫通した軸に弾性部材を周設し、弾性部材の伸縮を軸に案内させて、筐体及び車軸支持部間の距離の短縮又は伸長を円滑に行う。
【手続補正８】
【補正対象書類名】明細書
【補正対象項目名】００２３
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
液体を噴射する噴射部と、該噴射部を覆っており、液体を吸引する吸引口を有する筐体とを備える洗浄ノズルにおいて、
前記筐体から外部に突出しており、前記噴射部に供給する液体が通流する柔軟なホースを接続するホース接続部と、
前記吸引口に設けてあり、吸引された液体が通流し、前記ホースより大径且つ硬質なパイプを接続するパイプ接続部と
を備え、
前記パイプ接続部は前記筐体に枢支してあることを特徴とする洗浄ノズル。
【請求項２】
前記吸引口の縁部分に固定された枢軸を備え、
前記パイプ接続部は、
中空の半円柱状をなし、その周面が前記吸引口から前記筐体の外側に突出して前記吸引口を塞ぐように前記筐体内に配してあり、前記枢軸がその端面を貫通し、前記枢軸の回りに回転可能な回転部と、
該回転部の前記周面から突出しており、前記パイプを接続する接続部と
を有することを特徴とする請求項１に記載の洗浄ノズル。
【請求項３】
前記パイプ接続部から離隔させて前記筐体に錘を配置してあること
を特徴とする請求項１又は２に記載の洗浄ノズル。
【請求項４】
前記筐体の下側に車輪が設けてあり、
前記車輪の回転による前記筐体の移動方向に沿って前記パイプ接続部及び錘が並設してあること
を特徴とする請求項３に記載の洗浄ノズル。
【請求項５】
前記車輪の車軸を支持する車軸支持部と、
前記筐体及び車軸支持部間に配された弾性部材と
を備えることを特徴とする請求項４に記載の洗浄ノズル。
【請求項６】
前記車軸支持部から上方に突出し、前記筐体を貫通した軸を備え、
前記弾性部材は前記軸に周設してあること
を特徴とする請求項５に記載の洗浄ノズル。
【請求項７】
液体を噴射する噴射部と、該噴射部を覆っており、液体を吸引する吸引口を有する筐体と、該筐体の下側に配された車輪とを備える洗浄ノズルにおいて、
前記車輪の車軸を支持する車軸支持部と、
前記筐体及び車軸支持部間に配された弾性部材と、
前記車軸支持部から上方に突出し、前記筐体を貫通した軸と
を備え、
前記弾性部材は前記軸に周設してあること
を特徴とする洗浄ノズル。
【請求項８】
前記車軸支持部は上面部及び該上面部から下方に突出した対向する二つの側面部を有し、
前記車軸は両側面部の間にて支持されており、
前記軸は前記上面部から上方に突出し、前記筐体に設けた孔に挿入してあること
を特徴とする請求項７に記載の洗浄ノズル。